(57)【要約】【課題】事業者側の端末装置により、工作物を施工する地域の地方自治体毎に、指定する色彩がその地域環境に適合する色彩であるか否かの判定と、工作物の色彩に関する色彩規制情報を検索するシステムを提供することを目的とする。【解決手段】事業者端末装置からの地方自治体と複数の色彩に於ける各属性尺度とその色彩面積とを含む色彩適合判定依頼情報との入力を受け付けて、データベースを検索して入力した色彩適合判定依頼情報が色彩規制情報に適合するか否かを判定する色彩適合判定手段と、事業者端末装置からの検索条件に基づいて、データベースを検索して該当する色彩規制情報をその事業者端末装置に表示する色彩規制情報検索手段とを備えることを特徴とする。【選択図】          図１
2004206448.tif 000002
【特許請求の範囲】
【請求項１】
工作物を施工する事業者を対象に、その工作物を施工する地域の地方自治体毎に、その工作物の色彩に関する色彩規制情報を提供するシステムであって、
前記事業者側が備える事業者端末装置と、この事業者端末装置に通信ネットワークを介して接続される、前記情報提供システムの運営を行うシステム運営機関が備える運営管理装置とから構成され、
前記工作物は、屋外広告物を少なくとも含み、
前記色彩は、色相と明度と彩度とからなる各属性尺度から構成され、
前記色彩規制情報は、少なくとも前記地方自治体毎にその地域環境の環境色彩に適合する、前記各属性尺度範囲を含む属性尺度規制情報と、前記工作物に使用される複数の前記色彩毎の適合最大色彩面積とその適合最大面積割合とを含む色彩割合規制情報とを含み、
前記運営管理装置は、前記色彩規制情報を少なくとも登録するデータベースと、
前記事業者端末装置からの前記地方自治体と複数の前記色彩に於ける前記各属性尺度とその色彩面積とを含む色彩適合判定依頼情報との入力を受け付けて、前記データベースを検索して入力した前記色彩適合判定依頼情報が前記色彩規制情報に適合するか否かを判定する色彩適合判定手段を備えることを特徴とする、工作物の色彩規制に関する情報提供システム。
【請求項２】
前記属性尺度規制情報は、前記地方自治体毎にその地域環境の環境色彩に適合する代表的な前記各属性尺度範囲と、その環境色彩に適合しない前記各属性尺度範囲とを更に含み、
前記運営管理装置は、前記事業者端末装置からの検索条件に基づいて、前記データベースを検索して該当する前記色彩規制情報をその事業者端末装置に表示する色彩規制情報検索手段を更に備えることを特徴とする、請求項１に記載の工作物の色彩規制に関する情報提供システム。
【請求項３】
工作物の色彩規制に関する情報提供システムに於いて、請求項１、又は請求項２に記載の工作物の色彩規制に関する情報提供システムに使用される記録媒体。
【発明の詳細な説明】
【０００１】
【発明の属する技術分野】
本発明は、工作物を施工する事業者を対象に、その工作物を施工する地域の地方自治体毎に、その工作物の色彩に関する色彩規制情報を提供するシステムに関するものである。
【０００２】
【従来の技術】
全国の各地方自治体に於いては、その地方にとって調和のとれた美しい景観を守り育てていく為に、建物や屋外広告物等の工作物を新築、又は改築する際に、その工作物に使用可能な色彩の基準を設定して条令により事業者等を指導しているのが一般的である。
【０００３】
しかしながら、その色彩は、その施主からの要望に基づいた色彩を取り入れて施工していることが多く、施工中、又は竣工後にその地方自治体より、その工作物の色彩が周囲の景観を乱しているとの指摘を受けて、その施工をやり直さなければならないといったトラブルが発生している。
【０００４】
又、建造物の規制に関する情報システムの事例として、例えば、特開２００１−３０６６２５号に開示されている「デザイン設計方法」のように、デザイン設計を公募してそのデザイン設計に修正を加えるデザイン設計方法が紹介されているが、そのデザイン設計の趣旨説明については、「建造物と周辺環境との関係に於いて、デザイン設計に要求される条令等の規制の内容」の記載に止まっており、その規制内容については、建造物に対する色彩の規制に関する内容は記載されていない。
【特許文献１】
特開２００１−３０６６２５号公報（第１〜６頁）
【０００５】
【発明が解決しようとする課題】
以上のような問題を解決するために本発明では、工作物を施工する事業者側の端末装置により、その工作物を施工する地域の地方自治体毎に、指定する色彩がその地域環境に適合する色彩であるか否かの判定と、工作物の色彩に関する色彩規制情報を検索するシステムを提供することを目的とする。
【０００６】
【課題を解決するための手段】
上記目的を達成するために、請求項１に記載の発明は、工作物を施工する事業者を対象に、その工作物を施工する地域の地方自治体毎に、その工作物の色彩に関する色彩規制情報を提供するシステムであって、
前記事業者側が備える事業者端末装置と、この事業者端末装置に通信ネットワークを介して接続される、前記情報提供システムの運営を行うシステム運営機関が備える運営管理装置とから構成され、
前記工作物が、屋外広告物を少なくとも含み、
前記色彩が、色相と明度と彩度とからなる各属性尺度から構成され、
前記色彩規制情報が、少なくとも前記地方自治体毎にその地域環境の環境色彩に適合する、前記各属性尺度範囲を含む属性尺度規制情報と、前記工作物に使用される複数の前記色彩毎の適合最大色彩面積とその適合最大面積割合とを含む色彩割合規制情報とを含み、
前記運営管理装置が、前記色彩規制情報を少なくとも登録するデータベースと、
前記事業者端末装置からの前記地方自治体と複数の前記色彩に於ける前記各属性尺度とその色彩面積とを含む色彩適合判定依頼情報との入力を受け付けて、前記データベースを検索して入力した前記色彩適合判定依頼情報が前記色彩規制情報に適合するか否かを判定する色彩適合判定手段を備えることを特徴とする。
【０００７】
この請求項１の発明により、事業者は、工作物の色彩がその地域の地方自治体の色彩規制に違反しているか否かをその施工前に容易に確認することができる。
【０００８】
請求項２に記載の発明は、前記属性尺度規制情報が、前記地方自治体毎にその地域環境の環境色彩に適合する代表的な前記各属性尺度範囲と、その環境色彩に適合しない前記各属性尺度範囲とを更に含み、
前記運営管理装置が、前記事業者端末装置からの検索条件に基づいて、前記データベースを検索して該当する前記色彩規制情報をその事業者端末装置に表示する色彩規制情報検索手段を更に備えることを特徴とする。
【０００９】
この請求項２の発明により、事業者は、公共工作物を施工する場合や工作物の色彩の選択に迷った場合等には、その地域環境の色彩に適合する代表的な色彩の属性尺度範囲の中から選択することができ、又、その地域で使用できる色彩と使用できない色彩の属性尺度範囲を確認することができる。
【００１０】
請求項３に記載の発明は、工作物の色彩規制に関する情報提供システムに於いて、請求項１、又は請求項２に記載の工作物の色彩規制に関する情報提供システムに使用される記録媒体を特徴とする。
【００１１】
この請求項３の発明により、事業者は、所有するパソコン等の端末装置に通信ネットワーク機能が搭載されていない場合、本発明の工作物の色彩規制に関する情報提供システムに使用される記録媒体により、色彩規制情報等のデータや色彩適合判定手段、色彩規制情報検索手段等を備えたプログラムをその端末装置にインストールして、必要な工作物の色彩に関する色彩規制情報を取得することができる。
【００１２】
【発明の実施の形態】
以下、本発明の一実施の形態を図に基づいて詳細に説明する。図１は本発明である工作物の色彩規制に関する情報提供システム１００のシステム構成を示す模式図である。
図１に示すように工作物の色彩規制に関する情報提供システム１００は、屋外広告物等の工作物を施工する事業者側が備えるパソコン等の事業者端末装置１と、この事業者端末装置１にインターネット２を介して接続される、この情報提供システムの運営を行うシステム運営機関が備える運営管理装置１０とから構成される。
【００１３】
運営管理装置１０は、工作物の色彩規制に関する情報を登録する為のデータベース２０と、事業者端末装置１からの検索要求を受信して、データベース２０の検索結果を、インターネット２を介して送信する為のＷｅｂサーバー１１と、データベース２０を管理する為のデータベースサーバー１２と、工作物の色彩規制に関する情報提供の業務処理を行う為のアプリケーションサーバー１３とから構成される。
【００１４】
データベース２０は、事業者テーブル２１、自治体テーブル２２、属性尺度規制テーブル２３、色彩割合規制テーブル２４、広告物割合規制テーブル２５から構成される。
【００１５】
事業者テーブル２１は、地方自治体毎の工作物に関する色彩規制情報を利用する建築事業者の登録情報を記録するものである。
事業者情報には、検索キー部である事業者コードと、ユーザーＩＤとパスワードとからなる検索キー部と、データ部に属する事業所名、代表者名、住所、電話番号、メールアドレス、登録年月日等の情報を格納記録する。
【００１６】
自治体テーブル２２は、地域毎に工作物に関する色彩規制が異なるの地方自治体の登録情報を記録するものである。
自治体情報には、自治体名と地域名とからなる検索キー部と、データ部に属する地域範囲、登録年月日等の情報を格納記録する。
地域名は、地方自治体の行政地域の中で風致地区等が指定されている場合に、その地域名が設定される。
【００１７】
属性尺度規制テーブル２３は、地方自治体毎にその地域環境に適合した景観づくりの為に、工作物の色彩の属性尺度に関する属性尺度規制情報を記録するものである。
属性尺度規制情報には、自治体名と地域名と色相尺度範囲と明度尺度範囲と彩度尺度範囲とからなる検索キー部と、データ部に属する適合区分、登録年月日等の情報を格納記録する。
色彩の属性尺度である色相尺度と明度尺度と彩度尺度は、一般的に用いられているマンセル記号にて表しても良い。
適合区分には、地方自治体の地域環境の環境色彩に「適合」、「代表適合」、「不適合」等が設定される。
「代表適合」は、地方自治体が特に推奨している色彩の属性尺度範囲である。
【００１８】
色彩割合規制テーブル２４は、地方自治体毎にその地域環境に適合した景観づくりの為に、工作物に使用される複数の色彩の面積に関する色彩割合規制情報を記録するものであり、属性尺度規制情報の適合区分に「適合」、又は「代表適合」が設定されている場合を対象に記録される。
色彩割合規制情報には、自治体名と地域名と色相尺度と明度尺度と彩度尺度とからなる検索キー部と、データ部に属する適合最大色彩面積、適合最大面積割合、登録年月日等の情報を格納記録する。
適合最大色彩面積には、工作物に使用される色彩について、使用可能な最大面積が設定される。
適合最大面積割合には、工作物に使用される全色彩面積に対するその色彩面積について、使用可能な最大面積の割合が設定される。
又、各属性尺度とから表される色彩画像は、画像ファイルに登録し、各属性尺度に加えて色彩画像を事業者端末装置１に表示すると効果的である。
【００１９】
広告物割合規制テーブル２５は、地方自治体毎にその地域環境に適合した景観づくりの為に、建物に対する屋外広告物等の工作物面積に関する広告物割合規制情報を記録するものである。
広告物割合規制情報には、自治体名と地域名とからなる検索キー部と、データ部に属する適合最大面積、適合最大面積割合、登録年月日等の情報を格納記録する。
適合最大面積には、建物の全面積に対する屋外広告物物等の工作物面積について、使用可能な最大面積が設定される。
適合最大面積割合には、建物の全面積に対する屋外広告物等の工作物面積について、使用可能な最大面積の割合が設定される。
【００２０】
次に、運営管理装置１０の処理手段３０が、事業者端末装置１の要求信号に応答して、データベース２０の検索更新を行う処理手順について詳細に説明する。図２は、本発明である運営管理装置１０に於ける処理手段の処理の流れ図であり、処理手段は、以下の２手段から構成される。
【００２１】
これらは、色彩適合判定手段３１、色彩規制情報検索手段３２である。
【００２２】
最初に、事業者端末装置１からのユーザーＩＤとパスワードの入力を受け付けて、入力したユーザーＩＤとパスワードより、事業者テーブル２１を検索して該当する事業者情報を取得し、ユーザー認証を行って使用権があればメニュー選択画面をその事業者端末装置１に送信する。
【００２３】
色彩適合判定手段３１は、事業者端末装置１からの工作物を施工する地域の地方自治体と工作物に使用される複数の色彩に於ける各属性尺度とその色彩面積と屋外広告物等の工作物面積と建物面積とを含む色彩適合判定依頼情報との入力を受け付けて、データベース２０を検索して入力した色彩適合判定依頼情報が色彩規制情報に適合するか否かを判定する。
【００２４】
以下に、色彩適合判定手段３１の処理手順を詳細に説明する。
（１）事業者端末装置１からの色彩適合判定要求信号に応答して、色彩適合判定・自治体名入力画面を要求のあった事業者端末装置１に送信する。
（２）事業者端末装置１からの自治体名の入力を受け付けて、入力した自治体名より、自治体テーブル２２を検索して該当する自治体情報を取得し、取得した自治体情報の一覧が編集されている色彩適合判定・地域名選択画面を要求のあった事業者端末装置１に送信する。
（３）事業者端末装置１からの地域名の選択を受け付けて、色彩適合判定・各属性尺度、色彩面積、工作物面積、建物面積入力画面を要求のあった事業者端末装置１に送信する。
（４）事業者端末装置１からの複数の色彩に於ける各属性尺度とその色彩面積と工作物面積と建物面積の入力を受け付けて、（２）の処理で入力した自治体名と（３）の処理で選択した地域名と入力した各属性尺度より、属性尺度規制テーブル２３を検索して該当する属性尺度規制情報を取得する。
（５）取得した属性尺度規制情報の適合区分に「不適合」が設定されている場合は、「不適合」が付加された（４）の処理で入力した各属性尺度が編集されている色彩適合判定・各属性尺度不適合画面を要求のあった事業者端末装置１に送信して色彩適合判定手段３１の処理を終了する。
取得した属性尺度規制情報の適合区分に「適合」、又は「代表適合」が設定されている場合は、（６）以降の処理を行う。
（６）（２）の処理で入力した自治体名と（３）の処理で選択した地域名と入力した各属性尺度より、色彩割合規制テーブル２４を検索して該当する色彩割合規制情報を取得する。
（７）（４）の処理で入力した各属性尺度の色彩面積と（６）の処理で取得した色彩割合規制情報に設定されている適合最大色彩面積とを比較し、入力した各属性尺度の色彩面積の方が大の場合は、「適合」が付加された（４）の処理で入力した各属性尺度と、「不適合」が付加された（４）の処理で入力した各属性尺度の色彩面積とが編集されている色彩適合判定・各属性尺度の色彩面積不適合画面を要求のあった事業者端末装置１に送信して色彩適合判定手段３１の処理を終了する。
入力した各属性尺度の色彩面積の方が小の場合は、（４）の処理で入力した工作物面積に対する各色彩面積の割合を算出する。
（８）（７）の処理で算出した各色彩面積の割合と（６）の処理で取得した色彩割合規制情報に設定されている適合最大面積割合とを比較し、算出した各色彩面積の割合の方が大の場合は、それぞれに「適合」が付加された（４）の処理で入力した各属性尺度と（４）の処理で入力した各属性尺度の色彩面積と、「不適合」が付加された（７）の処理で算出した各色彩面積の割合とが編集されている色彩適合判定・各属性尺度の色彩面積割合不適合画面を要求のあった事業者端末装置１に送信して色彩適合判定手段３１の処理を終了する。
算出した各色彩面積の割合の方が小の場合は、（９）以降の処理を行う。
（９）（２）の処理で入力した自治体名と（３）の処理で選択した地域名より、広告物割合規制テーブル２５を検索して該当する広告物割合規制情報を取得する。
（１０）（４）の処理で入力した工作物面積と（９）の処理で取得した広告物割合規制情報に設定されている適合最大面積とを比較し、入力した工作物面積の方が大の場合は、それぞれに「適合」が付加された（４）の処理で入力した各属性尺度と（４）の処理で入力した各属性尺度の色彩面積と（７）の処理で算出した各色彩面積の割合と、「不適合」が付加された（４）の処理で入力した工作物面積とが編集されている色彩適合判定・工作物面積不適合画面を要求のあった事業者端末装置１に送信して色彩適合判定手段３１の処理を終了する。
入力した工作物面積の方が小の場合は、（４）の処理で入力した建物の面積に対する工作物面積の割合を算出する。
（１１）（１０）の処理で算出した工作物面積の割合と（９）の処理で取得した広告物割合規制情報に設定されている適合最大面積割合とを比較し、算出した工作物面積の割合が大の場合は、それぞれに「適合」が付加された（４）の処理で入力した各属性尺度と（４）の処理で入力した各属性尺度の色彩面積と（７）の処理で算出した各色彩面積の割合と（４）の処理で入力した工作物面積と、「不適合」が付加された（１０）の処理で算出した工作物面積の割合とが編集されている色彩適合判定・工作物面積の割合不適合画面を要求のあった事業者端末装置１に送信して色彩適合判定手段３１の処理を終了する。
算出した工作物面積の割合が小の場合は、それぞれに「適合」が付加された（４）の処理で入力した各属性尺度とその色彩面積と（７）の処理で算出した各色彩面積の割合と（４）の処理で入力した工作物面積と（１０）の処理で算出した工作物面積の割合とが編集されている色彩適合判定適合画面を要求のあった事業者端末装置１に送信する。
工作物が屋外広告物の場合は、使用される複数の色彩やその色彩面積に加えて、屋外広告物面積や建物面積に対するその面積割合についても、その地方自治体の地域環境に適合していることをその施工前に確認することができ、そのことによる屋外広告物の色彩を含む設計変更を回避することができる。
【００２５】
色彩規制情報検索手段３２は、事業者端末装置１からの検索条件に基づいて、データベース２０を検索して該当する色彩規制情報をその事業者端末装置１に表示する。
【００２６】
以下に、色彩規制情報検索手段３２の処理手順を詳細に説明する。
（１）事業者端末装置１からの色彩規制情報検索要求信号に応答して、色彩規制情報検索・自治体名入力画面を要求のあった事業者端末装置１に送信する。
（２）事業者端末装置１からの自治体名の入力を受け付けて、入力した自治体名より、自治体テーブル２２を検索して該当する自治体情報を取得し、取得した自治体情報の一覧が編集されている色彩規制情報検索・地域名選択画面を要求のあった事業者端末装置１に送信する。
（３）事業者端末装置１からの地域名の選択を受け付けて、（２）の処理で入力した自治体名と選択した地域名より、属性尺度規制テーブル２３を検索して該当する属性尺度規制情報を取得し、色彩割合規制テーブル２４を検索して該当する色彩割合規制情報を取得し、広告物割合規制テーブル２５を検索して該当する広告物割合規制情報を取得する。
（４）（２）の処理で入力した自治体名と（３）の処理で選択した地域名と取得した属性尺度規制情報と色彩割合規制情報と広告物割合規制情報とからなる一覧が編集されている色彩規制情報検索画面を要求のあった事業者端末装置１に送信する。
【００２７】
以上、本発明の一実施の形態を詳細に説明したが、本発明は、本実施の形態に限られるものではない。本発明の技術的範囲から逸脱しない範囲内で多様に変更実施することが可能である。
【００２８】
【発明の効果】
以上説明したように、本発明の工作物の色彩規制に関する情報提供システムによれば、事業者側の端末装置より、工作物の色彩がその地域の地方自治体の色彩規制に違反しているか否かの確認をその施工前に容易に行うことができると共に、その地域環境の色彩に適合する工作物の代表的な色彩等の情報も検索することができる。
【図面の簡単な説明】
【図１】本発明である工作物の色彩規制に関する情報提供システム１００のシステム構成を示す模式図である。
【図２】本発明である運営管理装置に於ける処理手段の処理の流れ図である。
【符号の説明】
１  事業者端末装置
２  インターネット
１０  運営管理装置
１１  Ｗｅｂサーバー
１２  データベースサーバー
１３  アプリケーションサーバー
２０  データベース
２１  事業者テーブル
２２  自治体テーブル
２３  属性尺度規制テーブル
２４  色彩割合規制テーブル
２５  広告物割合規制テーブル
３０  処理手段
３１  色彩適合判定手段
３２  色彩規制情報検索手段
１００  工作物の色彩規制に関する情報提供システム
【図１】
2004206448.tif 000003
【図２】
2004206448.tif 000004